(57)【要約】【課題】表示装置に関する。【解決手段】表示装置は、表示パネル、パネル下部シート、光センサー及び第１遮光部を含む。表示パネルは、表示領域及び表示領域の周辺に配置された非表示領域を含む。パネル下部シートは、表示パネルの下部に配置され、表示パネルの前記表示領域を露出させる第１開口を含む。光センサーは、第１開口に挿入配置される。第１遮光部は、第１開口においてパネル下部シートと光センサーとの間の離隔空間に配置される。【選択図】図３
2020021044.tif 000002
【特許請求の範囲】
【請求項１】
表示領域及び前記表示領域の周辺に配置された非表示領域を含む表示パネルと、
前記表示パネルの下部に配置され、前記表示パネルの前記表示領域を露出させる第１開口を含むパネル下部シートと、
前記第１開口に挿入配置される光センサーと、
前記第１開口において前記パネル下部シートと前記光センサーとの間の離隔空間に配置される第１遮光部とを備える表示装置。
【請求項２】
前記第１遮光部は、不透明接着樹脂である請求項１に記載の表示装置。
【請求項３】
前記パネル下部シートに配置され、前記表示パネルと電気的に接続され、前記第１開口を介して前記表示パネルの前記表示領域を露出させる第２開口を含む駆動回路基板をさらに備え、
前記光センサーは、前記第２開口に挿入配置される請求項１に記載の表示装置。
【請求項４】
前記駆動回路基板の下部に配置されて光センサーと前記駆動回路基板とを電気的に接続する第１フレキシブル回路基板をさらに備え、
前記第１遮光部は、前記第１フレキシブル回路基板と重ならない離隔空間の一部に配置される請求項３に記載の表示装置。
【請求項５】
前記光センサーは、接着部材により前記表示パネルに結合され、
前記接着部材は、前記光センサーの一面の縁に沿って配置される請求項１に記載の表示装置。
【請求項６】
前記パネル下部シートは、順次積層された第１機能層と第２機能層とを備え、
前記第１機能層は、緩衝機能を行い、
前記第２機能層は、デジタイザ機能を行う請求項１に記載の表示装置。
【請求項７】
前記光センサーは、指紋認識センサーである請求項１に記載の表示装置。
【請求項８】
前記表示パネルと前記パネル下部シートとの間に配置され、前記第１開口より大きい第３開口を含む保護層をさらに備え、
前記光センサーは、前記第３開口に挿入配置され、
前記第１遮光部は、前記第３開口において前記光センサーと前記保護層の内側面との間に配置される請求項１に記載の表示装置。
【請求項９】
前記光センサーの下部に配置され、前記パネル下部シートと前記光センサーと部分的に重なり、前記離隔空間をカバーする第２遮光部をさらに備える請求項１に記載の表示装置。
【請求項１０】
前記第２遮光部は、前記光センサーを露出させる第４開口を含む請求項９に記載の表示装置。
【請求項１１】
前記パネル下部シートに配置され、前記表示パネルと電気的に接続され、前記第１開口を介して前記表示パネルの前記表示領域を露出させる第２開口を含む駆動回路基板をさらに備え、
前記光センサーは、前記第２開口に挿入配置され、
前記駆動回路基板の一面は、前記光センサーの一面と同一平面上に位置する請求項１０に記載の表示装置。
【請求項１２】
前記表示パネルと前記パネル下部シートとの間に配置され、前記第１開口より小さく前記光センサーより大きい第３開口を含む保護層をさらに備え、
前記光センサーは、前記第３開口に挿入配置され、
前記保護層は、紫外線によって変色する光変色性（Ｐｈｏｔｏｃｈｒｏｍｉｃ）原料を含み、
前記第１開口を介して露出した前記保護層の第１部分は、前記パネル下部シートと重なる前記保護層の第２部分と異なる色を有する請求項１に記載の表示装置。
【請求項１３】
前記保護層は、前記表示パネルに発生する熱を吸収する潜熱顔料をさらに含む請求項１２に記載の表示装置。
【請求項１４】
前記第１遮光部は、前記保護層の前記第１部分と重なる請求項１２に記載の表示装置。
【請求項１５】
前記第１遮光部は、前記保護層の前記第１部分と重ならない請求項１２に記載の表示装置。
【請求項１６】
前記保護層と前記光センサーとの間に配置される透明接着樹脂をさらに含み、
前記第１遮光部は、前記保護層の前記第１部分と前記透明接着樹脂とをカバーする請求項１２に記載の表示装置。
【請求項１７】
前記光センサーの下部に配置され、前記パネル下部シートと前記光センサーと部分的に重なり、前記離隔空間をカバーする第２遮光部をさらに備える請求項１２に記載の表示装置。
【請求項１８】
表示領域及び前記表示領域の周辺に配置された非表示領域を含む表示パネルと、
前記表示パネルの下部に配置され、前記表示パネルと電気的に接続され、前記表示パネルの前記表示領域を露出させる第１開口を含む駆動回路基板と、
前記第１開口に挿入配置される光センサーと、
前記光センサーの下部に配置され、前記駆動回路基板と前記光センサーと部分的に重なり、前記第１開口において前記駆動回路基板と前記光センサーとの間の離隔空間をカバーする第１遮光部とを備える表示装置。
【請求項１９】
前記表示パネルと前記駆動回路基板との間に配置され、前記第１開口より小さく前記光センサーより大きい第２開口を含む保護層をさらに備え、
前記光センサーは、前記第２開口に挿入配置され、
前記保護層は、紫外線によって変色する光変色性（Ｐｈｏｔｏｃｈｒｏｍｉｃ）原料を含み、
前記第１開口を介して露出した前記保護層の第１部分は、パネル下部シートと重なる前記保護層の第２部分と異なる色を有する請求項１８に記載の表示装置。
【請求項２０】
前記表示パネルと前記駆動回路基板との間に介在され、前記駆動回路基板を前記表示パネルに固定させる接着部材をさらに備える請求項１９に記載の表示装置。
【発明の詳細な説明】
【技術分野】
【０００１】
本発明は表示装置に関する。
【背景技術】
【０００２】
表示装置は、映像を表示する装置であって、スマートフォンを中心に多様な製品に適用されている。最近、表示装置の機能が多様になることにつれ、指紋認識センサー、虹彩認識センサー、近接センサーなどの光センサーを備える場合もある。
【０００３】
例えば、光センサーは、赤外線方式の光センサーであり得る。赤外線光センサーは、赤外線を放出する発光部と赤外線を受信するセンサーとを備え、放出された赤外線がセンサーを介して受信する時間を測定してセンシング機能を行い得る。
【０００４】
光センサーは、ウィンドウの下部に直接配置されるか、表示パネルの下部に配置され得る。光センサーが表示パネルの下部に配置される場合、光センサーを配置するための非表示領域が減少してベゼルが縮小し得る。
【発明の概要】
【発明が解決しようとする課題】
【０００５】
光センサーは、センシング機能が低下しないようにするために、表示パネルの下部の遮光層に開口を形成し、これに重なるように配置し得る。しかし、この場合、開口を通過した外部反射光が視認されて表示装置の表示品位を低下させる恐れがある。
【０００６】
本発明が解決しようとする課題は、外部反射光が視認されない表示装置を提供することにある。
【０００７】
本発明の課題は、以上で言及した技術的課題に制限されず、言及していないまた他の技術的課題は、以下の記載から当業者に明確に理解され得る。
【課題を解決するための手段】
【０００８】
前記課題を解決するための本発明の一実施例による表示装置は、表示領域及び前記表示領域の周辺に配置された非表示領域を含む表示パネルと、前記表示パネルの下部に配置され、前記表示パネルの前記表示領域を露出させる第１開口を含むパネル下部シートと、前記第１開口に挿入配置される光センサーと、前記第１開口において前記パネル下部シートと前記光センサーとの間の離隔空間に配置される第１遮光部とを備える。
【０００９】
前記第１遮光部は、不透明接着樹脂であってもよい。
【００１０】
前記表示装置は、前記パネル下部シートに配置され、前記表示パネルと電気的に接続され、前記第１開口を介して前記表示パネルの前記表示領域を露出させる第２開口を含む駆動回路基板をさらに備え、前記光センサーは、前記第２開口に挿入配置されてもよい。
【００１１】
前記表示装置は、前記駆動回路基板の下部に配置され、光センサーと前記駆動回路基板とを電気的に接続する第１フレキシブル回路基板をさらに備え、前記第１遮光部は、前記第１フレキシブル回路基板と重ならない離隔空間の一部に配置されてもよい。
【００１２】
前記光センサーは、接着部材を介して前記表示パネルに結合され、前記接着部材は、前記光センサーの一面の縁に沿って配置されてもよい。
【００１３】
前記パネル下部シートは、順次積層された第１機能層と第２機能層とを備え、前記第１機能層は緩衝機能を行い、前記第２機能層はデジタイザ機能を行ってもよい。
【００１４】
前記光センサーは、指紋認識センサーであってもよい。
【００１５】
前記表示装置は、前記表示パネルと前記パネル下部シートとの間に配置され、前記第１開口より大きい第３開口を含む保護層をさらに備え、前記光センサーは、前記第３開口に挿入配置され、前記第１遮光部は、前記第３開口において前記光センサーと前記保護層の内側面との間に配置されてもよい。
【００１６】
前記表示装置は、前記光センサーの下部に配置され、前記パネル下部シートと前記光センサーと部分的に重なり、前記離隔空間をカバーする第２遮光部をさらに備えてもよい。
【００１７】
前記第２遮光部は、前記光センサーを露出させる第４開口を含んでもよい。
【００１８】
前記表示装置は、前記パネル下部シートに配置され、前記表示パネルと電気的に接続され、前記第１開口を介して前記表示パネルの前記表示領域を露出させる第２開口を含む駆動回路基板をさらに備え、前記光センサーは、前記第２開口に挿入配置され、前記駆動回路基板の一面は、前記光センサーの一面と同一平面上に位置してもよい。
【００１９】
前記表示装置は、前記表示パネルと前記パネル下部シートとの間に配置され、前記第１開口より小さく前記光センサーより大きい第３開口を含む保護層をさらに備え、前記光センサーは、前記第３開口に挿入配置され、前記保護層は、紫外線によって変色する光変色性（Ｐｈｏｔｏｃｈｒｏｍｉｃ）原料を含み、前記第１開口を介して露出した前記保護層の第１部分は、前記パネル下部シートと重なる前記保護層の第２部分と異なる色を有してもよい。
【００２０】
前記保護層は、前記表示パネルに発生する熱を吸収する潜熱顔料をさらに備えてもよい。
【００２１】
前記第１遮光部は、前記保護層の前記第１部分と重なってもよい。
【００２２】
前記第１遮光部は、前記保護層の前記第１部分と重ならなくてもよい。
【００２３】
前記表示装置は、前記保護層と前記光センサーとの間に配置される透明接着樹脂をさらに備え、前記第１遮光部は、前記保護層の前記第１部分と前記透明接着樹脂とをカバーしてもよい。
【００２４】
前記表示装置は、前記光センサーの下部に配置され、前記パネル下部シートと前記光センサーと部分的に重なり、前記離隔空間をカバーする第２遮光部をさらに備えてもよい。
【００２５】
前記課題を解決するための本発明の一実施例による表示装置は、表示領域及び前記表示領域の周辺に配置された非表示領域を含む表示パネルと、前記表示パネルの下部に配置され、前記表示パネルと電気的に接続され、前記表示パネルの前記表示領域を露出させる第１開口を含む駆動回路基板と、前記第１開口に挿入配置される光センサーと、前記光センサーの下部に配置され、前記駆動回路基板と前記光センサーと部分的に重なり、前記第１開口において前記駆動回路基板と前記光センサーとの間の離隔空間をカバーする第１遮光部を備える。
【００２６】
前記表示装置は、前記表示パネルと前記駆動回路基板との間に配置され、前記第１開口より小さく前記光センサーより大きい第２開口を含む保護層をさらに備え、前記光センサーは、前記第２開口に挿入配置され、前記保護層は、紫外線によって変色する光変色性（Ｐｈｏｔｏｃｈｒｏｍｉｃ）原料を含み、前記第１開口を介して露出した前記保護層の第１部分は、前記パネル下部シートと重なる前記保護層の第２部分と異なる色を有してもよい。
【００２７】
前記表示装置は、前記表示パネルと前記駆動回路基板との間に介在して前記駆動回路基板を前記表示パネルに固定させる接着部材をさらに備えてもよい。
【００２８】
その他実施例の具体的な事項は、詳細な説明及び図面に含まれている。
【発明の効果】
【００２９】
本発明の実施例によれば、表示装置は、パネル下部シートの開口を介して表示パネルに付着する光センサーを備え、開口においてパネル下部シートと光センサーとの間の離隔空間に配置される第１遮光部をさらに備えることで、開口を通過する外部反射光が遮断され、開口が表示装置の前面を介してユーザーに視認されることを防止することができる。
【００３０】
また、表示装置は、パネル下部シートと光センサーとの間の離隔空間をカバーする第２遮光部をさらに備えることで、開口を通過する外部反射光によって、開口が表示装置の前面を介してユーザーに視認されることを防止することができる。
【００３１】
本発明の実施例による効果は、以上で例示した内容によって制限されず、より多様な効果が本明細書内に含まれている。
【図面の簡単な説明】
【００３２】
【図１】一実施例による表示装置の斜視図である。
【図２】図１の表示装置の背面図である。
【図３】図２のＡ−Ａ’線に沿って切断した表示装置の一例を示す断面図である。
【図４】図３のＡ２領域を拡大した断面図である
【図５】表示装置の他の例を示す断面図である。
【図６】図５のＡ２領域を拡大した部分拡大図である。
【図７】表示装置のまた他の例を示す断面図である。
【図８】図７のＡ３領域に対応する表示装置の一例を示す背面図である。
【図９】表示装置のまた他の例を示す断面図である。
【図１０】表示装置のまた他の例を示す断面図である。
【図１１】表示装置のまた他の例を示す断面図である。
【図１２】図１１のＡ４領域を拡大した部分拡大図である。
【図１３】図１１の表示装置に含まれた保護層が形成される工程を示す図である。
【図１４】表示装置の多様な実施例を示す断面図である。
【図１５】表示装置の多様な実施例を示す断面図である。
【図１６】表示装置の多様な実施例を示す断面図である。
【図１７】表示装置の多様な実施例を示す断面図である。
【図１８】また他の実施例による表示装置の一例を示す断面図である。
【発明を実施するための形態】
【００３３】
本発明の利点及び特徴並びにこれを達成する方法は、添付する図面とともに詳細に後述する実施例を参照すると明確になる。しかし、本発明は、以下に開示する実施例に限定されず、互いに異なる多様な形態で実現され、本実施例は、単に本発明の開示を完全にし、本発明が属す技術分野における通常の知識を有する者に発明の範疇を完全に知らせるために提供するものであり、本発明は、請求項の範疇によってのみ定義される。
【００３４】
素子（ｅｌｅｍｅｎｔｓ）または層が他の素子または層の「上（ｏｎ）」と称されるものは、他の素子の真上または中間に他の層または他の素子を介在する場合をすべて含む。明細書全体にわたって同一参照符号は、同一構成要素を称する。
【００３５】
第１、第２などが多様な構成要素を叙述するために用いられるが、これらの構成要素は、これらの用語によって制限されないことは勿論である。これらの用語は、単に一つの構成要素を他の構成要素と区別するために用いる。したがって、以下で言及する第１構成要素は、本発明の技術的思想内で第２構成要素であり得る。
【００３６】
以下、添付する図面を参照して本発明の実施例について説明する。
【００３７】
表示装置は、動画や停止映像を表示する装置であって、表示装置は、モバイルフォン、スマートフォン、タブレットＰＣ（Ｐｅｒｓｏｎａｌ  Ｃｏｍｐｕｔｅｒ）、及びスマートウォッチ、ウォッチフォン、移動通信端末機、電子手帳、電子本、ＰＭＰ（Ｐｏｒｔａｂｌｅ  Ｍｕｌｔｉｍｅｄｉａ  Ｐｌａｙｅｒ）、ナビゲーション、ＵＭＰＣ（Ｕｌｔｒａ  Ｍｏｂｉｌｅ  ＰＣ）などのような携帯用電子機器だけでなく、テレビ、ノートパソコン、モニター、広告板、事物インターネットなどの多様な製品の表示画面として用いることができる。表示装置の例としては、有機発光表示装置（ＯＬＥＤ）、液晶表示装置（ＬＣＤ）、プラズマ表示装置（ＰＤＰ）、電界放出表示装置（ＦＥＤ）、電気泳動表示装置（ＥＰＤ）などであり得る。
【００３８】
以下では表示装置として有機発光表示装置を例に挙げて説明するが、本発明はこれに制限されない。
【００３９】
図１は一実施例による表示装置の平面図である。
【００４０】
図１を参照すると、表示装置１は、表示領域ＤＡと表示領域ＤＡの周辺に配置された非表示領域ＮＤＡとを含む。
【００４１】
表示領域ＤＡは画面を表示する領域である。表示領域ＤＡの平面形状は、長方形形状であるか、図１に示すように角丸長方形の形状であり得る。ただし、表示領域ＤＡの平面形状はこれに制限されず、円形、楕円形などその他多様な形状を有し得る。
【００４２】
非表示領域ＮＤＡは、表示領域ＤＡの周辺に配置される。非表示領域ＮＤＡは、表示装置１の縁を構成し得る。一実施例において、非表示領域ＮＤＡには前面カメラ、虹彩認識センサー、近接センサーなどが配置され得る。
【００４３】
表示領域ＤＡは、センシング領域ＳＡ１を含み得る。
【００４４】
以下、表示装置１の具体的な構成を説明するために図２及び図３を参照する。
【００４５】
図２は図１の表示装置の背面図である。図２にはＡ１領域を拡大した部分拡大図が示されている。図３は図２のＡ−Ａ’線に沿って切断した表示装置の一例を示す断面図である。
【００４６】
図２及び図３を参照すると、表示装置１は、表示パネル１０、ウィンドウ２０、パネル下部シート３０、光センサー３００、第１遮光部５００（または、遮光層）を備える。また、表示装置１は、第１フレキシブル回路基板１００、駆動回路基板２００及び第２フレキシブル回路基板４００をさらに備え得る。
【００４７】
他に定義されない限り、この明細書において「上部」、「上面」は、表示パネル１０を基準に表示面側を意味し、「下部」、「下面」は、表示パネル１０を基準に表示面の反対側を意味する。
【００４８】
表示パネル１０は、回路素子層１１及び表示素子層１２を備える。また、表示パネル１０は保護層１３をさらに備え得る。
【００４９】
回路素子層１１は、基板上に配置された回路素子（例えば、トランジスタ、配線）を含む。表示素子層１２は、回路素子層１１上に配置され、複数の有機発光素子を含む。基板は、ガラスなどからなるリジッド基板であり得、ポリイミドなどからなるフレキシブル基板であり得る。前記基板としてポリイミド基板を適用する場合、表示パネル１０は、曲げたり、折り曲げたり、折り畳んだり、丸めたりすることができる。
【００５０】
保護層１３は、回路素子層１１の下部に配置される。保護層１３は、表示パネル１０の下部で発生する外部衝撃から表示パネル１０を保護し得る。保護層１３は、表示装置１の製造工程上発生し得るスクラッチ及び衝撃から表示パネル１０を保護し得る。
【００５１】
保護層１３は、第１開口Ｈ１を含むか、第１開口Ｈ１は、保護層１３で定義される。第１開口Ｈ１は、センシング領域（ＳＡ１、図１参照）に重なってもよい。第１開口Ｈ１は、保護層１３を貫き、パネル下部シート３０を貫いて表示パネル１０の下面を露出する。保護層１３が遮光物質を含む場合、後述する光センサー３００から発散する光は、第１開口Ｈ１を介してのみ透過され得る。これとは異なって、保護層１３が遮光物質を含まない場合、第１開口Ｈ１は省略し得る。
実施例において、保護層１３は変色性物質及び潜熱物質を含み得る。ここで、変色性物質は、特定条件で色が変色し、潜熱物質は、熱を吸収してから放出し得る。変色性物質及び潜熱物質を含む保護層１３については図９及び図１０を参照して後述する。
【００５２】
ウィンドウ２０は、表示パネル１０の上部に配置される。ウィンドウ２０は、表示パネル１０の上部に配置されて表示パネル１０を保護する一方、表示パネル１０から出射する光を透過させる。
【００５３】
ウィンドウ２０は、透明ガラス、またはポリエチレンテレフタラート、ポリビニル樹脂、ポリエステルなどの透明な物質を含み得る。ただし、これに制限されず、表示パネル１０から出射する光を透過させるのに十分な透過率を有するものであれば、ウィンドウ２０の種類に制限はない。
【００５４】
ウィンドウ２０は、表示パネル１０に重なり、表示パネル１０の前面をカバーするように配置され得る。ウィンドウ２０は、表示パネル１０より大きくてもよい。例えば、表示装置１の両単辺においてウィンドウ２０は表示パネル１０より外側に突出し得る。表示装置１の両長辺においてもウィンドウ２０が表示パネル１０から突出し得るが、突出距離は両単辺の場合がさらに大きい。
【００５５】
ウィンドウ２０は、下面の縁に沿って配置されたブラックマトリクス（Ｂｌａｃｋ  Ｍａｔｒｉｘ）（ＢＭ）を備え、ブラックマトリクス（ＢＭ）を介して下部の構成が表示装置１の前面（または、表示面）を介して視認されることを防止することができる。
【００５６】
表示パネル１０とウィンドウ２０との間にはタッチパネル４０（または、入力感知パネル）が配置され得る。タッチパネル４０は、表示パネル１０の前面に配置され得る。すなわち、タッチパネル４０は、表示パネル１０と実質的に同じサイズを有し、表示パネル１０に重なって配置され得る。
【００５７】
一実施例において、タッチパネル４０は、表示パネル１０の上部に直接形成さ得る。例えば、表示パネル１０を構成するパッシベーション層上にタッチ電極を配置してタッチパネル４０を形成し得る。他の実施例において、タッチパネル４０は、表示パネル１０とは別途のパネルで製作されて表示パネル１０の上部に配置され得る。この場合、表示パネル１０及びタッチパネル４０は、光学透明接着剤（ＯＣＡ）や光学透明樹脂（ＯＣＲ）などによって結合し得る。
【００５８】
タッチパネル４０とウィンドウ２０は、光学透明接着剤（ＯＣＡ）や光学透明樹脂（ＯＣＲ）などの第１接着部材ＡＤ１によって結合し得る。
【００５９】
表示パネル１０及びタッチパネル４０の一面には第１フレキシブル回路基板１００と駆動回路基板２００とが配置され得る。第１フレキシブル回路基板１００と駆動回路基板２００は、表示領域ＤＡのセンシング領域ＳＡ１に隣接した非表示領域ＮＤＡに配置され得る。
【００６０】
第１フレキシブル回路基板１００の一側は、表示パネル１０に接続され、第１フレキシブル回路基板１００の他側は、駆動回路基板２００の一側（例えば、第１パッドが形成された第１パッド部ＰＤ１に接続され得る。第１フレキシブル回路基板１００は、表示パネル１０と駆動回路基板２００とを電気的に接続し得る。第１フレキシブル回路基板１００には表示パネル１０を駆動するための駆動チップＩＣ（または、集積回路）が実装され得、この場合、第１フレキシブル回路基板１００は、駆動チップＩＣと表示パネル１０とを電気的に接続させ得る。
【００６１】
第１フレキシブル回路基板１００の一面は、表示パネル１０の上面（または、表示面）に付着し、他側は表示パネル１０の下面（または、表示面の反対面）と対向するように配置され得る。すなわち、第１フレキシブル回路基板１００は、表示パネル１０の上面から表示パネル１０の下面方向にベンディングされ、第１フレキシブル回路基板１００の他側はパネル下部シート３０の下面上に配置され得る。駆動回路基板２００は、表示パネル１０（及びタッチパネル４０を駆動するための駆動信号を処理する電子素子（図示せず）を備え得る。駆動回路基板２００で生成された駆動信号は、第１フレキシブル回路基板１００を介して駆動チップＩＣ及び／または表示パネル１０に伝達され得る。駆動回路基板２００は、一側（例えば、第２パッドが形成された第２パッド部ＰＤ２）を介して外部から制御信号を受信するか、後述する光センサー３００などから生成されたセンシング信号を外部に出力し得る。駆動回路基板２００は、表示パネル１０より小さなサイズ（または、面積）を有して表示パネル１０（または、パネル下部シート３０）の下部に配置され得る。
【００６２】
駆動回路基板２００は、第３開口Ｈ３を含み得る。第３開口Ｈ３は、センシング領域（ＳＡ１，図１を参照）に重なってもよい。第３開口Ｈ３は、駆動回路基板２００を貫いて表示パネル１０の下面を露出する。第３開口Ｈ３は、保護層１３の第１開口Ｈ１（及び後述するパネル下部シート３０の第２開口Ｈ２）と実質的に同じサイズを有し、第１開口Ｈ１と整列され得る。
【００６３】
パネル下部シート３０は、表示パネル１０の下部に配置され得る。パネル下部シート３０は、表示パネル１０と実質的に同じサイズを有し、表示パネル１０に重なって配置され得る。パネル下部シート３０の側面と表示パネル１０の側面とが整列され得るが、これに制限されない。パネル下部シート３０は、第２接着部材ＡＤ２によって表示パネル１０の下面に付着し得る。
【００６４】
パネル下部シート３０は、遮光機能、放熱機能、電磁波遮蔽機能、パターン視認防止機能、接地機能、緩衝機能、強度補強機能及び／またはデジタイジング機能などを行い得る。パネル下部シート３０は、上述した機能のうち少なくとも一つの機能を有する機能層を備え得る。機能層は、層、膜、フィルム、シート、プレート、パネルなど多様な形態で提供され得る。
【００６５】
パネル下部シート３０は、一つまたは複数の機能層を備え得る。パネル下部シート３０が複数の機能層を含む場合、各機能層は重なって積層され得る。機能層は、他の機能層の真上に積層されるか結合層を介して配置され得る。
【００６６】
パネル下部シート３０は、順次積層される第１機能層（３１、図４を参照）及び第２機能層（３２、図４を参照）を備え得る。ただし、これに制限されず、３個以上の機能層を備え得る。
【００６７】
第１機能層３１は、外部衝撃を緩和させる緩衝部材であり得る。すなわち、第１機能層３１は、表示装置１に加えられる衝撃の一部を吸収して表示装置１が破損することを防止することができる。
【００６８】
第１機能層３１は、高分子樹脂、例えば、ポリウレタン（ｐｏｌｙｕｒｅｔｈａｎｅ）、ポリカーボネート（ｐｏｌｙｃａｒｂｏｎａｔｅ）、ポリプロピレン（ｐｏｌｙｐｒｏｐｙｌｅｎｅ）、及びポリエチレン（ｐｏｌｙｅｔｈｙｌｅｎｅ）などで形成されるか、ゴム液、ウレタン系物質、またはアクリル系物質を発砲形成したスポンジで形成され得る。
【００６９】
第２機能層３２は、デジタイザ機能を行い得る。デジタイザは、入力装置の一つであって、キーボードやマウスなどの入力装置とは異なり画面上でユーザーが指示した位置情報の入力を受ける。第２機能層３２は、例えば、スタイラスペンの動きを認識し、これをデジタル信号に変換し得る。
【００７０】
パネル下部シート３０は、第２開口Ｈ２を含む。第１開口Ｈ２は、センシング領域（ＳＡ１，図１参照）に重なってもよい。第２開口Ｈ２は、パネル下部シート３０を貫いて、表示パネル１０の下面を露出する。第２開口Ｈ２は、保護層１３の第１開口Ｈ１と実質的に同じサイズを有し、第１開口Ｈ１と整列され得る。例えば、第２開口Ｈ２によるパネル下部シート３０の内側壁は、保護層１３の内側壁（すなわち、第１開口Ｈ１による保護層１３の内側壁）と一致し、同一平面に位置し得る。
【００７１】
第２開口Ｈ２内には光センサー３００が配置される。光センサー３００は、表示パネル１０と直接対向し得る。光センサー３００は、例えば、赤外線を用いる指紋認識センサーであり得る。ただし、これに制限されず、光センサー３００には赤外線を用いてセンシング機能を行うすべての製品が適用され得る。
【００７２】
光センサー３００は、光学透明接着剤（ＯＣＡ）や光学透明樹脂（ＯＣＲ）などの第３接着部材ＡＤ３によって表示パネル３０に結合され得る。光センサー３００から発散する光及び反射光の透過度を高めるため、第３接着部材ＡＤ３は、光センサー３００の上面（または、光を発散及び受信するセンシング面）の縁に沿って配置され得る。
【００７３】
図２を参照すると、光センサー３００は、第２フレキシブル回路基板４００に固定され得る。例えば、光センサー３００は、第２フレキシブル回路基板４００上にソルダリング（ｓｏｌｄｅｒｉｎｇ）されて固定され得る。図２に示すように、第２フレキシブル回路基板４００は、駆動回路基板２００の下面上で光センサー３００の一側に延長し、駆動回路基板２００と接続され得る。例えば、駆動回路基板２００は、特定領域に位置する第３パッド部ＰＤ３を備え、第２フレキシブル回路基板４００は、駆動回路基板２００の第３パッド部ＰＤ３に接続され得る。
【００７４】
光センサー３００は、パネル下部シート３０の内側壁から一定間隔だけ離隔して配置され得る。すなわち、パネル下部シート３０に形成された第２開口Ｈ２のサイズは、光センサー３００のサイズより大きくてもよい。
【００７５】
第２開口Ｈ２において、光センサー３００とパネル下部シート３０との間の離隔空間ＶＡには第１遮光部５００が配置され得る。第１遮光部５００は、第２開口Ｈ２内に光センサー３００が配置された後、離隔空間ＶＡ内に充填され得る。第１遮光部５００は、離隔空間ＶＡを介して透過する光を吸収するか遮断し得る。例えば、第１遮光部５００は、有色染料または不透明染料を含み得る。有色染料は、アントラキノン系合成染料、アゾ系合成染料、メチン系合成染料、キノリン系合成染料、ペリレン系合成染料、アジン系合成染料、遮光性に優れたニグロシンなどのような合成染料を含むか、可視光領域の遮蔽性に優れたフタロシアニン係、ジオキサジン系、ペリレン系などの有機染料を含み得る。また、第１遮光部５００は、接着特性を有し、光センサー３００をパネル下部シート３０に固定させ得る。例えば、第１遮光部５００は、にかわ（ｇｌｕｅ）、樹脂（ｒｅｓｉｎ）であり得る。ただし、これは例示的なものであって、第１遮光部５００はこれに制限されない。第１遮光部５００は、光の遮光特性と接着特性とを有すれば十分である。
【００７６】
一実施例において、第１遮光部５００は、離隔空間ＶＡのうち一部にのみ配置され得る。図２に示すように、光センサー３００は、第２フレキシブル回路基板４００を介して駆動回路基板２００と接続されるので、第２フレキシブル回路基板４００は、離隔空間ＶＡの一部領域と重なってもよい。離隔空間ＶＡの重畳領域（すなわち、第２フレキシブル回路基板４００と重なる離隔空間ＶＡの一部領域）は、第２フレキシブル回路基板４００によって遮光され得る。したがって、第１遮光部５００は、離隔空間ＶＡの非重畳領域（すなわち、第２フレキシブル回路基板４００と重ならない離隔空間ＶＡの一部領域）にのみ配置され、離隔空間ＶＡの非重畳領域５００を透過する光を吸収するか遮断させ得る。
【００７７】
図４は図３のＡ２領域を拡大した断面図である。
【００７８】
図３及び図４を参照すると、光センサー３００は、パネル下部シート３０の内側壁から一定間隔離隔して配置され得る。光センサー３００とパネル下部シート３０の内側壁との間の第１隔離距離Ｄ１は、約０．１ｍｍ〜約０．５ｍｍであり得る。
【００７９】
第１隔離距離Ｄ１が０．１ｍｍ以上、好ましくは０．２ｍｍ以上である場合、光センサー３００がパネル下部シート３０と直接ぶつからないので、光センサー３００が破損することを防止することができる。第１隔離距離Ｄ１が０．５ｍｍ以下、好ましくは０．３ｍｍ以下の場合、表示装置１のスリム化及び小型化を満たし得る。
【００８０】
光センサー３００は、赤外線を放出する発光部３１０と赤外線を受信するセンシング部３２０とを備え得る。光センサー３００は、発光部３１０から放出された赤外線がセンシング部３２０を介して受信される時間を測定して対象オブジェクトの固有パターンを分析し得る。
【００８１】
具体的に例えば、指の指紋は相対的に突出した隆線と相対的に凹んだ溝を含むが、隆線と溝のうちどの部位により反射するかによって、発光部３１０から放出した赤外線Ｌ１がセンシング部３２０に受信されるまでの所要時間が変わる。前記所要時間を測定して指紋の固有パターンを分析し得る。
【００８２】
図５は表示装置の他の例を示す断面図である。図５には図３に対応する表示装置の断面が示されている。図６は図５のＡ２領域を拡大した部分拡大図である。
【００８３】
図５を参照すると、表示装置１＿１は、保護層１３ａ、第３接着部材ＡＤ３＿１及び第１遮光部５００＿１を備える点で、表示装置１と相違する。
【００８４】
保護層１３ａと第１遮光部５００＿１とを除いては、表示装置１＿１は、表示装置１と実質的に同一であるか類似するので、重複する説明は省略する。
【００８５】
保護層１３ａは、第１開口Ｈ１＿１を除いては、図３を参照して説明した保護層１３と実質的に同一であるので、重複する説明は省略する。
【００８６】
保護層１３ａの第１開口Ｈ１＿１は、パネル下部シート３０の第２開口Ｈ２より大きくてもよい。この場合、保護層１３ａの内側壁は、パネル下部シート３０の内側壁より光センサー３００から離隔し得る。例えば、光センサー３００の外側面を基準に、保護層１３ａの第２隔離距離Ｄ２は、パネル下部シート３０の第１隔離距離Ｄ１より第３距離Ｄ３だけさらに離隔し得る。ここで、第３距離Ｄ３は、０．１ｍｍ以上０．２ｍｍ以下であり得るが、これに制限されない。
【００８７】
同様に、第３接着部材ＡＤ３＿１は、光センサー３００と表示パネル１０との間に介在されるが、第３接着部材ＡＤ３＿１の外側面は、光センサー３００の外側面より内側に（すなわち、第３接着部材ＡＤ３＿１の面積中心を接して）配置され得る。例えば、光センサー３００の外側面を基準に、第３接着部材ＡＤ３＿１は、第４距離Ｄ４だけ内側に位置し得る。ここで、第４距離Ｄ４は、０．１ｍｍ以上０．２ｍｍ以下であり得るが、これに制限されない。
【００８８】
これによって、図６に示すように、パネル下部シート３０と光センサー３００との間には「Ｔ」字の断面形状を有する離隔空間ＶＡ＿１が形成され得る。
【００８９】
第１遮光部５００＿１は、離隔空間ＶＡ＿１に埋められるか配置され、図５に示すように、「Ｔ」字の断面形状を有し得る。
【００９０】
離隔空間ＶＡ＿１が「Ｔ」字形状の断面を有することによって、離隔空間ＶＡ＿１の内側の角部分（すなわち、保護層１３ａと接した部分と、第３接着部材ＡＤ３＿１と接した部分）まで第１遮光部５００＿１が埋められ得る。例えば、第１遮光部５００＿１が液状樹脂である状態で離隔空間ＶＡ＿１に埋められる場合、第１遮光部５００＿１は、表示パネル１０の下面で広げられ、離隔空間ＶＡ＿１の内側角部分まで埋められ得る。第１遮光部５００＿１が離隔空間ＶＡ＿１の内側角部分において相対的に薄く埋められるか、埋められなくても（例えば、保護層１３ａの外側面と表示パネル１０の下面とが接する角部分が埋められなくても）、第１遮光部５００＿１の内側角部分は、パネル下部シート３０及び／または光センサー３００によって視認されない。例えば、パネル下部シート３０が遮光機能を有する場合、パネル下部シート３０が表示パネル１０と重なる部分は、表示装置１の前面を介して視認されない。同様に、光センサー３００が表示パネル３００と重なる部分は、表示装置１の前面を介して視認されない。
【００９１】
図７は表示装置のまた他の例を示す断面図である。図７には図３に対応する表示装置の断面が示されている。図８は図７のＡ３領域に対応する表示装置の一例を示す背面図である。図７のＡ３領域は図２のＡ１領域に対応する。
【００９２】
図２、図３及び図７を参照すると、表示装置１＿２は、第２遮光部６００をさらに備える点で、図３の表示装置１と相違する。第２遮光部６００を除いては、表示装置１＿２は、図３の表示装置１と実質的に同一であるので、重複する説明は省略する。
【００９３】
第２遮光部６００は、駆動回路基板２００の下部及び光センサー３００の下部に配置され、離隔空間（ＶＡ、図２参照）をカバーし得る。
【００９４】
第２遮光部６００は、断面接着フィルムであり得る。第２遮光部６００の上面は、接着特性を有し、第２遮光部６００は、駆動回路基板２００の下面及び光センサー３００の下面に付着し得る。第２遮光部６００は、光センサー３００を支持し、表示パネル１０に固定させ得る。
【００９５】
第２遮光部６００は、遮光物質を含み得る。例えば、第２遮光部６００は、遮光テープであり得る。第２遮光部６００は、第１遮光部５００と共に離隔空間（ＶＡ、図２参照）を透過する光を遮断し得る。光センサー３００の厚さ、パネル下部シート３０の厚さなどが薄くなる場合、第１遮光部５００の厚さも薄くなる。この場合、第１遮光部５００を介して光の一部が透過され、光センサー３００は、表示パネル１０の前面を介してユーザーに視認され得る。したがって、第２遮光部６００が離隔空間ＶＡをカバーするように配置されることで、光センサー３００がユーザーに視認されることをより効果的に防止することができる。図８に示すように、第２遮光部６００は、光センサー３００（または、パネル下部シート３０の第２開口Ｈ２）に対応して四角形の平面形状を有し得る。第２遮光部６００は、面積中心を基準に形成された第４開口Ｈ４を含み得る。第４開口Ｈ４を介して光センサー３００から発生する熱が、光センサー３００の下部に放出されるか伝達され得る。
【００９６】
図８には示していないが、第２遮光部６００は、第１遮光部５００と同様に、離隔空間ＶＡの非重畳領域（すなわち、離隔空間ＶＡが第２フレキシブル回路基板４００と重ならない一部領域）にのみ配置され得る。
【００９７】
図７及び図８を参照して説明したように、表示装置１＿１は、第２遮光部６００をさらに備えることで、光センサー３００が表示パネル１０により安定的に固定され、光センサー３００が表示パネル１０の前面を介して視認されることを防止することができる。
【００９８】
図９は表示装置のまた他の例を示す断面図である。図９には図３に対応する表示装置の断面が示されている。
【００９９】
図７及び図９を参照すると、表示装置１＿３は、第２接着部材ＡＤ２＿１を備える点で、図７の表示装置１＿２と相違する。
【０１００】
第２接着部材ＡＤ２＿１は、表示パネル１０とパネル下部シート３０との間に配置されてパネル下部シート３０を表示パネル１０に固定させ得る。
【０１０１】
第２接着部材ＡＤ２＿１の厚さは、図７に示す第２接着部材ＡＤ２より厚くてもよい。図７に示すように、光センサー３００がパネル下部シート３０（及び駆動回路基板２００に比べて相対的に厚い場合、光センサー３００の下面と駆動回路基板２００の下面との間には段差が生じ得る。この場合、第２遮光部６００は段差によって少なくとも一部が曲がった状態を有し、曲がった部分によってストレスを受け得る。また、離隔空間ＶＡ内の第１遮光部５００が駆動回路基板２００の下面まで埋められても、段差に起因した空の空間が存在し得る。
【０１０２】
したがって、図９に示すように、第２接着部材ＡＤ２＿１の厚さを調節して（例えば、相対的に厚く形成して）、光センサー３００の下面と駆動回路基板２００の下面とを同一平面上に位置させるか一致させ得る。この場合、第２遮光部６００は、平たい状態を有し得る。また、離隔空間ＶＡ内の第１遮光部５００を駆動回路基板２００の下面まで埋める場合、第２遮光部６００は、第１遮光部５００と接し、第２遮光部６００の結合力がより向上し、光センサー３００が表示パネル１０により安定的に固定され得る。
【０１０３】
図１０は表示装置のまた他の例を示す断面図である。図１０には図３に対応する表示装置の断面が示されている。
【０１０４】
図７及び図１０を参照すると、表示装置１＿４は、第１遮光部５００を備えない点で、図７の表示装置１＿２と相違する。
【０１０５】
第２遮光部６００の厚さ、物質などによって第２遮光部６００は、光の一定比率以上を遮断させるに十分な遮光能力を有し得、これによって、表示装置１＿４は、第２遮光部６００のみで離隔空間（ＶＡ、図２参照）を透過する光が十分に遮断され得る。
【０１０６】
表示装置１＿４の製造工程において、第１遮光部５００の形成工程（例えば、塗布及び硬化）が除去されるので、表示装置１＿３の提供工程がより単純化され得る。
【０１０７】
一方、図１０において光センサー３００の下面と駆動回路基板２００の下面との間には段差がある場合を示しているが、これに限定されない。表示装置１＿４は、図９を参照して説明した第２接着部材ＡＤ２＿１を含み、光センサー３００の下面と駆動回路基板２００の下面とは、同一平面に位置し得る。
【０１０８】
図１１は表示装置のまた他の例を示す断面図である。図１１には図３に対応する表示装置の断面が示されている。図１２は図１１のＡ４領域を拡大した部分拡大図である。図１３は図１１の表示装置に含まれた保護層が形成される工程を示す図である。図１３には図１２に対応する断面が示されている。
【０１０９】
図３及び図１１を参照すると、表示装置１＿５は、保護層１３＿１を備える点で、図３の表示装置１と相違する。保護層１３＿１を除いては、表示装置１＿５は、図３の表示装置１と実質的に同一であるか類似するので、重複する説明は省略する。
【０１１０】
保護層１３＿１は、第１開口Ｈ１＿２を含み得る。図１２に示すように、保護層１３＿１の第１開口Ｈ１＿２は、光センサー３００より大きいサイズを有するが、パネル下部シート３０（または、駆動回路基板２００の第２開口Ｈ２より小さなサイズを有し得る。この場合、離隔空間ＶＡにおいて、第２開口Ｈ１を介して保護層１３＿１が露出し得る。
【０１１１】
例えば、保護層１３＿１の内側壁と光センサー３００との間の第５隔離距離Ｄ５は、約０．１ｍｍ〜約０．２ｍｍであり得る。パネル下部シート３０の内側壁と光センサー３００との間の第１隔離距離Ｄ１は、約０．３ｍ以上約０．５ｍｍ以下であり得る。この場合、離隔空間ＶＡにおいて、保護層１３＿１は、第６距離Ｄ６だけ露出し、例えば、第６距離Ｄ６は、約０．１ｍｍ以上約０．４ｍｍ以下であり得る。
【０１１２】
保護層１３＿１は、変色性物質（Ｃｈｒｏｍｉｃ  ｍａｔｅｒｉａｌ）１３Ｐを含み得る。保護層１３＿１は、スクリーンプリント（Ｓｃｒｅｅｎ  ｐｒｉｎｔｉｎｇ）工程により形成され得る。例えば、保護層１３＿１は、熱硬化剤、微細粉末シリカ（Ｓｉｌｉｃａ）、シリコン系消泡剤、帯電防止剤、石油ナフサ溶剤、ジエチレングリコールモノエチルエーテルアセテートなどを含む組成物を表示パネル１０の背面上にスクリーンプリントした後、熱硬化工程を経て形成さ得る。ここで、保護層１３＿１は、表示パネル１０の背面の全領域にわたってプリントされ得、保護層１３＿１は、表示パネル１０の背面全体を覆うように形成さ得る。保護層１３＿１の厚さは、８ｕｍ〜１４ｕｍであり得る。
【０１１３】
ここで、保護層１３＿１を生成する組成物は、変色性（ｃｈｒｏｍｉｃ）原料をさらに含み得る。変色性（Ｃｈｒｏｍｉｃ）原料は、光、熱または電流によって無色から有色への色変化を示す物質であり得る。変色性原料は、保護層１３＿１の全領域に広がっていてもよく、保護層１３＿１の全体的な色は、変色性原料が変色する色によって決定され得る。
【０１１４】
保護層１３＿１は、光を受けると分子の構造が変化して発色する光変色性（Ｐｈｏｔｏｃｈｒｏｍｉｃ）原料を含み得る。例えば、保護層１３＿１は、スピロピラン、フルギト、アミノアゾベンゼンなどの光変色性原料を含み得、所定波長の光が照射されることによって色が変色し得る。図１１に示すように、保護層１３＿１は、紫外線（ＵＶ、Ｕｌｔｒａｖｉｏｌｅｔ  Ｒａｙ）が照射されることによって変色し得る。例えば、紫外線に露出した第１部分１３ａは変色し、紫外線に露出しない第２部分１３ｂは変色しない。
【０１１５】
これに限定されず、保護層１３＿１は、３酸化タングステン、ビオロゲンのような電気変色性（Ｅｌｅｃｔｒｏｃｈｒｏｍｉｃ）物質を含み得る。特定レベルの電流が認可されることによって保護層１３＿１は、無色から有色に変色し得る。また、保護層１３＿１は、特定温度以上の工程条件で変色する熱変色性（ｔｈｅｒｍｏｃｈｒｏｍｉｃ）物質を含み得る。すなわち、特定温度以上の工程条件で保護層１３＿１は、変色し得る。
【０１１６】
表示パネル１０の他面に保護層１３＿１が生成された状態、すなわち、硬化された状態で保護層１３＿１は、透明な状態であり得る。ただし、保護層１３＿１は、表示装置１の製造工程において集積回路の正常実装可否を確認する自動圧痕検査（ＡＴＴ、Ａｕｔｏ  Ｔｒａｃｅ  Ｔｅｓｔｅｒ）が行われた後に変色し得る。変色した保護層１３＿１は、表示パネル１０から放出された光が表示パネル１０の下部に漏れることを遮断し得る。すなわち、保護層１３＿１は、工程上で発生する外部衝撃から表示パネル１０を保護するだけでなく、表示パネル１０から放出される光を遮断する遮蔽機能も行い得る。
【０１１７】
一実施例において、保護層１３＿１を形成する組成物は、潜熱顔料（図示せず）を含み得る。潜熱顔料は、ポリマー（Ｐｍ、Ｐｏｌｙｍｅｒ）で相転移物質（ＰＣＭ、Ｐｈａｓｅ  Ｃｈａｎｇｅ  ｍａｔｅｒｉａｌ）をマイクロカプセル化（Ｍｉｃｒｏｅｎｃａｐｓｕｌａｔｉｏｎ）したコアシェル（ｃｏｒｅ−ｓｈｅｌｌ）構造を有し得る。すなわち、ポリマーは相転移物質を取り囲むことができ、外部物質と相転移物質とを区分し、保護し得る。ここで、相転移物質は、ハイドロカーボン、アルカン混合物のようなワックス、含水塩のような無機物、カーボンナノチューブ、グラファイトまたはグラフェンのうち中少なくとも何れか一つ以上を含み得る。相転移物質は、温度が上がることによって固体から液体に相転移となり、熱を吸収し得る。
【０１１８】
すなわち、表示装置１の使用時に発生する熱によって相転移物質は、液体に相転移となり得、周辺温度を吸収し得る。すなわち、表示装置１の使用によって増加した温度を潜熱顔料が吸収してから、使用しないとき熱を放出し得る。したがって、保護層１３＿１は、潜熱顔料により向上した放熱性を提供し得る。ここで、潜熱顔料の形状は円形であり得るが、これに限定されず、非定形性を有し得る。また、潜熱顔料は、シェル（ｓｈｅｌｌ）を形成するポリマーによって多様な色相を有し得る。ここで、潜熱顔料は、黒を示すポリマーで形成され得る。すなわち、潜熱顔料のシェル（ｓｈｅｌｌ）が黒で形成されることによって、保護層１３＿１の遮光性はより向上し得る。
【０１１９】
保護層１３＿１は、変色性（Ｃｈｒｏｍｉｃ）物質を含んで遮光効果を提供し得るため、表示装置１は、別途の遮光シート（例えば、パネル下部シート３０に含まれる遮光シート、遮光層）を備えなくてもよい。例えば、遮光シートの場合、遮光層、接着層を含むので、スクリーンプリントされる保護層１３＿１に比べて厚くなるしかない。したがって、表示装置１は、より小型化、軽量化及び薄型化され得る。
【０１２０】
図１１〜図１３を参照して説明したように、保護層１３＿１は、パネル下部シート３０の第２開口Ｈ２より小さな第１開口Ｈ１＿２を有し、光変色性原料を含み得る。離隔空間ＶＡ内で第２開口Ｈ２を介して露出した保護層１３＿１の一部は、紫外線照射などにより変色して遮光特性を有し得る。表示装置１の小型化、薄型化のために保護層１３＿１が適用されて離隔空間ＶＡまで遮光させ得る。離隔空間ＶＡのうち保護層１３＿１によって遮光されない一部分は、第１遮光部５００によって遮光され得る。
【０１２１】
図１４及び図１５は、表示装置の多様な実施例を示す断面図である。図１４及び図１５には図１０に対応する断面が示されている。
【０１２２】
図１２及び図１４を参照すると、第１遮光部５００の配置位置を除いては、表示装置１＿６は、図１２の表示装置１＿５、図１１を参照）と実質的に同一であるか類似する。
【０１２３】
図１４に示すように、第１遮光部５００は、保護層１３＿１の内側壁と光センサー３００との間に配置され、保護層１３＿１と重ならなくてもよい。保護層１３＿１は、紫外線によって変色する光変色性原料を含み、第１遮光部５００が塗布された後に、表示装置１＿５に紫外線が照射され得る。第１遮光部５００が保護層１３＿１と重なるかカバーする場合、紫外線は、保護層１３＿１の第１部分１３ａに照射され得ないこともある。したがって、第１遮光部５００は、保護層１３＿１と重ならないように配置され得る。
【０１２４】
図１２及び図１５を参照すると、表示装置１＿７は、接着剤ＲＳをさらに備える点で、図１２の表示装置１＿５、図９参照）と相違する。
【０１２５】
接着剤ＲＳは、光を透過させる透明な樹脂で構成され得る。透明接着剤ＲＳは、保護層１３＿１の内側壁と光センサー３００との間に塗布されるか配置され得る。図１５において、接着剤ＲＳは、保護層１３＿１と重ならない場合を示しているが、これに制限されず、接着剤ＲＳは、保護層１３＿１と重なり得る。接着剤ＲＳが塗布された後、表示装置１＿７に紫外線が照射され得る。この場合、保護層１３＿１の第１部分１３ａは変色し、接着剤ＲＳは、硬化して光センサー３００を表示パネル１０に固定させ得る。
【０１２６】
紫外線が表示装置１＿７に照射された後、第１遮光部５００が離隔空間（ＶＡ、図２参照）に塗布されるか配置され得る。
【０１２７】
一方、図１５において接着剤ＲＳは、透明な樹脂である場合を例に挙げて説明したが、これは、接着剤ＲＳが第１遮光部５００とは区別される接着剤であることを例示したものであり、これに限定されない。例えば、表示装置１＿７は、透明な樹脂の代わりに有色（または、不透明）の接着剤を含むが、有色の接着剤は、保護層１３＿１と重ならなくてもよい。
【０１２８】
図１６及び図１７は表示装置の多様な実施例を示す断面図である。図１６及び図１７には図９に対応する断面が示されている。
【０１２９】
図１１及び図１６を参照すると、表示装置１＿８は、第２遮光部６００をさらに備える点で、図１１の表示装置１＿５と相違する。
【０１３０】
第２遮光部６００は、図７を参照して説明した第２遮光部６００と実質的に同一であるか類似する。したがって、重複する説明は省略する。
【０１３１】
第２遮光部６００は、駆動回路基板２００の下部及び光センサー３００の下部に配置され、離隔空間（ＶＡ、図２参照）をカバーし得る。また、第２遮光部６００は、図８を参照して説明したように、光センサー３００（または、第２開口Ｈ２）に対応して四角形の平面形状を有するが、面積中心を基準に形成された第４開口（Ｈ４、図８参照）を含み得る。
【０１３２】
第２遮光部６００は、保護層１３＿１及び第１遮光部５００と共に離隔空間ＶＡを遮光させ、光センサー３００をより安定的に固定させ得る。
【０１３３】
図１６及び図１７を参照すると、表示装置１＿９は、第１遮光部５００を備えない点で、図１６の表示装置１＿８と相違する。一方、図１７には図示していないが、表示装置１＿９は、図９を参照して説明したように、第２接着部材ＡＤ２＿１の厚さを調節して（例えば、相対的に厚く形成して）、光センサー３００の下面と駆動回路基板２００の下面とを同一平面上に位置させるか、一致させ得る。
【０１３４】
すなわち、表示装置１の小型化、薄型化のために保護層１３＿１が適用されて離隔空間ＶＡが遮光され、離隔空間ＶＡのうち保護層１３＿１によって遮光されない一部分は、第２遮光部６００によって遮光され得る。
【０１３５】
図１８は、また他の実施例による表示装置の一例を示す断面図である。図１８には図３に対応する断面が示されている。
【０１３６】
図３及び図１８を参照すると、表示装置１＿１０は、パネル下部シート３０を備えずに、保護層１３＿２を備える点で、図３の表示装置１と相違する。ここで、パネル下部シート３０は、別途の遮光部材または遮光シートであり得る。
【０１３７】
保護層１３＿２を除いては、表示装置１＿１０は、図３の表示装置１と実質的に同一であるか類似するので、重複する説明は省略する。
【０１３８】
保護層１３＿２は、図１１を参照して説明した保護層１３＿１と同様に、光変色性原料を含み得る。
【０１３９】
表示装置１０は、パネル下部シート３０を備えず、また、図２を参照して説明したように、駆動回路基板２００の表示パネル１０の下面一部にのみ配置されるので、保護層１３＿１は、駆動回路基板２００によって露出する第３部分１３ｃを含み得る。
【０１４０】
図１３を参照して説明したように、表示装置１＿１０に紫外線が照射される場合、保護層１３＿２の第１部分１３ａ及び第３部分１３ｃが変色し、保護層１３＿２の第１部分１３ａ及び第３部分１３ｃは、遮光特性を有し得る。たとえ保護層１３＿２の第２部分１３ｂは、紫外線に露出されておらず、遮光特性を有し得るが、駆動回路基板２００（または、駆動回路基板２００の下部に配置される放熱シート、電磁波遮蔽シートなど）によって保護層１３＿２の第２部分１３ｂに対応する領域は遮光され得る。したがって、表示装置１＿１０は、より小型化、軽量化及び薄型化になる。
【０１４１】
以上添付した図面を参照して本発明の実施例について説明したが、本発明が属する技術分野における通常の知識を有する者は、本発明のその技術的思想や必須的な特徴を変更せずに他の具体的な形態で実施され得ることを理解できるであろう。したがって、前述した実施例は、すべての面において例示的なものであり、限定的でないものとして理解しなければならない。
【符号の説明】
【０１４２】
１０：表示パネル
１３：保護層
２０：ウィンドウ
３０：パネル下部シート
４０：タッチパネル
１００：第１フレキシブル回路基板
２００：駆動回路基板
３００：赤外線センサー
４００：第２フレキシブル回路基板
５００：第１遮光部
６００：第２遮光部
ＤＡ：表示領域
ＮＤＡ：非表示領域
ＳＡ１：センシング領域
【図１】
2020021044.tif 000003
【図２】
2020021044.tif 000004
【図３】
2020021044.tif 000005
【図４】
2020021044.tif 000006
【図５】
2020021044.tif 000007
【図６】
2020021044.tif 000008
【図７】
2020021044.tif 000009
【図８】
2020021044.tif 000010
【図９】
2020021044.tif 000011
【図１０】
2020021044.tif 000012
【図１１】
2020021044.tif 000013
【図１２】
2020021044.tif 000014
【図１３】
2020021044.tif 000015
【図１４】
2020021044.tif 000016
【図１５】
2020021044.tif 000017
【図１６】
2020021044.tif 000018
【図１７】
2020021044.tif 000019
【図１８】
2020021044.tif 000020